(57)【要約】      （修正有）【課題】ノイズによる誤作動を防止することができる放電装置と、これを備えた美容装置を提供する。【解決手段】美顔器１は本体ケース２内に、ボイラー室４、ヒータ５、タンク６によりスチームを生成するボイラー３と、スチーム放出部７及び放電部８を備え、当該放電部８は、制御部９、操作入力部１０、判定部１１により制御される。当該判定部１１は当該操作入力部１０と当該制御部９との間に設けられ、当該操作入力部１０からの操作信号が正規の信号か否かを当該判定部１１にて判定し、当該制御部９は当該判定部１１を経た正規の操作信号にて装置の制御を行う。【選択図】図１
2010272306.tif 000002
【特許請求の範囲】
【請求項１】
放電部とその放電部を制御する制御部とを備え、操作入力部からの操作信号に基づいて前記制御部が前記放電部の制御を行う放電装置であって、
前記操作信号が前記操作入力部での操作に伴う正規の信号か否かを判定する判定部を備え、
前記制御部は前記判定部にて判定された正規の操作信号に基づいて前記放電部の制御を行うことを特徴とする放電装置。
【請求項２】
請求項１に記載の放電装置において、
前記判定部は、前記操作信号の判定を複数回実施し、全判定が一致するか否かで正規か否かの判定を行うことを特徴とする放電装置。
【請求項３】
請求項２に記載の放電装置において、
前記放電部は、周期的な高電圧の生成に基づいて周期的に放電が行われるものであり、  前記放電部は、前記操作信号の判定周期を前記放電部の放電周期とは異なるようにしたことを特徴とする放電装置。
【請求項４】
請求項２又は３に記載の放電装置において、
前記判定部は、前記操作信号の判定を複数回実施するのを複数系統で行うとともに、各系統での前記操作信号の判定タイミングを互いに異なるようにし、これら全判定が一致するか否かで正規か否かの判定を行うことを特徴とする放電装置。
【請求項５】
請求項１〜４のいずれか１項に記載の放電装置を備えた美容装置。
【発明の詳細な説明】
【技術分野】
【０００１】
本発明は、イオンの生成や静電霧化等を行う放電装置、及びその放電装置を備えた美容装置に関するものである。
【背景技術】
【０００２】
従来より、イオンの生成等を行う放電装置が知られており（例えば特許文献１参照）、放電装置は、制御部にて生成した所定の高電圧が放電部に印加されることで放電が生じ、該放電部にてイオンが生成されるようになっている。通常、制御部は、使用者の操作に基づく操作入力部からの操作信号の入力に基づき、その操作信号のレベルが例えばＨレベルからＬレベルに変化することで装置のオフ時にはオン操作がなされ、また装置のオン時にはオフ操作がなされたと判定し、放電部のオンオフ制御を行っている。
【先行技術文献】
【特許文献】
【０００３】
【特許文献１】特開２００６−７３４７４号公報
【発明の概要】
【発明が解決しようとする課題】
【０００４】
ところで、放電部に印加する高電圧の生成時、例えば周期的に高電圧の生成を行うものにおいては、一時的にＬレベルとなるような電源ノイズが生じてしまう。すると、操作入力部からの操作信号がその電源ノイズによりＬレベルとなり、制御部はそれが使用者のオンオフ操作であると判断し、使用者の意志とは無関係に放電部を動作又は停止してしまう誤作動を発生させる虞があった。
【０００５】
本発明は、上記課題を解決するためになされたものであって、その目的は、ノイズによる誤作動を防止することができる放電装置、及びその放電装置を備えた美容装置を提供することにある。
【課題を解決するための手段】
【０００６】
上記課題を解決するために、請求項１に記載の発明は、放電部とその放電部を制御する制御部とを備え、操作入力部からの操作信号に基づいて前記制御部が前記放電部の制御を行う放電装置であって、前記操作信号が前記操作入力部での操作に伴う正規の信号か否かを判定する判定部を備え、前記制御部は前記判定部にて判定された正規の操作信号に基づいて前記放電部の制御を行うことをその要旨とする。
【０００７】
この発明では、操作入力部からの操作信号が正規の信号か否かが判定部にて判定され、制御部はその判定部を経た正規の操作信号にて放電部の制御を行うため、放電部の放電に基づく電源ノイズ等が判定部にて排除され、装置の誤作動が防止される。
【０００８】
請求項２に記載の発明は、請求項１の記載の放電装置において、前記判定部は、前記操作信号の判定を複数回実施し、全判定が一致するか否かで正規か否かの判定を行うことをその要旨とする。
【０００９】
この発明では、操作入力部からの操作信号が正規の信号か否かが判定部にて判定される際に、信号の判定が複数回実施され、全判定が一致しなければ正規の信号と判定しない。これにより、放電部の放電に基づく電源ノイズ等がより確実に排除され、装置の誤作動がより確実に防止される。
【００１０】
請求項３に記載の発明は、請求項２に記載の放電装置において、前記放電部は、周期的な高電圧の生成に基づいて周期的に放電が行われるものであり、前記放電部は、前記操作信号の判定周期を前記放電部の放電周期とは異なるようにしたことをその要旨とする。
【００１１】
この発明では、操作入力部からの操作信号が正規の信号か否かが判定部にて判定される際に、信号の判定周期が放電部の放電周期と異なるように設定される。これにより、放電部の放電に基づく電源ノイズがより確実に排除され、装置の誤作動がより確実に防止される。
【００１２】
請求項４に記載の発明は、請求項２又は３に記載の放電装置において、前記判定部は、前記操作信号の判定を複数回実施するのを複数系統で行うとともに、各系統での前記操作信号の判定タイミングを互いに異なるようにし、これら全判定が一致するか否かで正規か否かの判断を行うことをその要旨とする。
【００１３】
この発明では、信号判定が複数回でかつ複数系統で行われるとともに、各系統での信号の判定タイミングが互いに異なるように設定され、これら全判定が一致しなければ正規の信号と判定しない。これにより、信号の判定機会が増えるため、制御部に入力される操作信号の信頼性が増し、操作の誤作動がより確実に防止される。
【００１４】
請求項５に記載の発明は、請求項１〜４のいずれか１項に記載の放電装置を備えた美容装置である。
この発明では、ノイズによる誤作動の防止された美容装置の提供が可能となる。
【発明の効果】
【００１５】
本発明によれば、ノイズによる誤作動を防止することができる放電装置、及びその放電装置を備えた美容装置を提供することができる。
【図面の簡単な説明】
【００１６】
【図１】第１実施形態における放電装置を備えた美顔器の模式図である。
【図２】信号の判定を複数回行った場合のフローチャートである。
【図３】所定の信号判定に対して異なるタイミングで別の信号判定を行った場合のフローチャートである。
【図４】第２実施形態の放電装置を備えた足浴器の模式図である。
【図５】第３実施形態の放電装置を備えたヘアードライヤーの模式図である。
【発明を実施するための形態】
【００１７】
（第１実施形態）
以下、本発明を具体化した第１実施形態を図面に従って説明する。
図１に示すように、放電装置を備えた美容装置としての美顔器１は、本体ケース２内の所定位置にボイラー３が備えられている。ボイラー３は、ボイラー室４とそのボイラー室４に接触して取り付けられるヒータ５とを備えている。ボイラー室４には、本体ケース２に着脱可能に取り付けられるタンク６から水等の液体が供給され、ヒータ５の加熱によりボイラー室４内にスチーム（温ミスト）が生成される。ヒータ５の加熱制御は、後述の制御部９にて行われる。そして、生成された蒸気は、本体ケース２の上部に設けられるスチーム放出部７から使用者の顔等に向けて放出される。
【００１８】
スチーム放出部７内には、放電部８が設けられている。放電部８は、制御部９の制御に基づいて放電制御がなされ、その放電に基づいてスチーム放出部７内を通過するスチームが静電霧化にてより微細化され、イオン化される。このようなスチームは、スチーム放出部７から使用者に供給され、肌の角質層表面の隙間に浸透可能であるため、肌に潤いを与え、より高い美容作用や健康作用を得られるようになっている。
【００１９】
前記ヒータ５及び放電部８は、制御部９にて制御されている。制御部９には、操作入力部１０からの操作信号が判定部１１を介して入力され、使用者の操作に応じてヒータ５及び放電部８の制御が行われる。操作入力部１０は、作動のオンオフが操作可能となっており、そのオンオフ操作に対応する操作信号が判定部１１に出力される。判定部１１は、その操作信号が正規のものかノイズ等によるものかを判定し、正規のものである場合にその操作信号を確定して制御部９に出力する。因みに、操作入力部１０は、オン操作時及びオフ操作時にＨレベルからＬレベルに変化する操作信号を判定部１１に出力する。そして、制御部９は、判定部１１を経た正規の操作信号に基づいて、美顔器１（ヒータ５及び放電部８）がオフの時にはオンさせるべく、ヒータ５に所定電圧を、放電部８に一定周期の高電圧を生成して印加し、美顔器１（ヒータ５及び放電部８）がオン時にはオフされるべく、これらの電圧生成（印加）を停止する。
【００２０】
次に、判定部１１にて行われる信号判定処理を図２に示す信号判定フローを用いて説明する。
先ず、ステップＳ１では、操作入力部１０からの操作信号がＬレベルか否かが判定される。通常、美顔器１に図示しない電源ケーブルを通じて外部から電源供給がなされているときには、操作入力部１０からの操作信号はＨレベルとなっており、使用者が操作入力部１０にてオン操作又はオフ操作すると、操作信号はＬレベルとなる。同ステップＳ１において、操作入力部１０からの操作信号がＬレベルでない、即ちＨレベルである場合（ステップＳ１：ＮＯ）、ステップＳ２に進む。
【００２１】
ステップＳ２では、１回目の操作信号の判定が行われる。ステップＳ３では、Ｎ回目の操作信号の判定が行われる。尚、これらの判定は２回以上のＮ回行うことが望ましい。ステップＳ２，Ｓ３では、所定のタイミング（所定周期）で信号判定が行われる。本実施形態では放電周期（高電圧の生成周期）と異なる周期に設定されている。
【００２２】
ステップＳ４では、ステップＳ２，Ｓ３にてそれぞれ判定された操作信号が全てＨレベルか否かが判定される。操作信号の各判定が全てＨレベルでない場合（ステップＳ４：ＮＯ）、操作信号の各判定に１つでもＬレベルの判定がなされると、放電部８の放電に基づく電源ノイズ等が含まれている可能性があるとしてその信号の確定が行われず、前記ステップＳ１に戻る。一方、操作信号の各判定が全てＨレベルである場合（ステップＳ４：ＹＥＳ）、操作信号に放電部８の放電に基づく電源ノイズ等が含まれていないとしてステップＳ５に進み、その信号の確定が行われる。
【００２３】
前記ステップＳ１において、操作入力部１０からの操作信号がＬレベルである場合（ステップＳ１：ＹＥＳ）、ステップＳ６に進む。
ステップＳ６では、１回目の操作信号の判定が行われる。ステップＳ７では、Ｎ回目の操作信号の判定が行われる。尚、前記と同様に、これらの判定は２回以上のＮ回行うことが望ましい。ステップＳ６，Ｓ７においても、信号判定周期が放電周期（高電圧の生成周期）と異なる周期に設定されている。
【００２４】
ステップＳ８では、ステップＳ６，Ｓ７にてそれぞれ判定された操作信号が全てＬレベルか否かが判定される。操作信号の各判定が全てＬレベルでない場合（ステップＳ８：ＮＯ）、操作信号に１つでもＨレベルの判定がなされると、放電部８の放電に基づく電源ノイズ等が含まれている可能性があるとしてその信号の確定が行われず、前記ステップＳ１に戻る。一方、操作信号が全てＬレベルである場合（ステップＳ８：ＹＥＳ）、操作信号に放電部８の放電に基づく電源ノイズ等が含まれていないとしてステップＳ５に進み、その信号の確定が行われる。そして、このような信号判定がなされた正規の操作信号が制御部９に入力され、制御部９はヒータ５及び放電部８の制御を行うようになっている。
【００２５】
尚、別例として、図３に示す信号判定フローに従って信号判定を行ってもよい。この図３の信号判定フローでは、ステップＳ１１〜Ｓ１６が新たに加えられている。
ステップＳ１では、操作入力部１０からの操作信号がＬレベルか否かが判定される。同ステップＳ１において、操作入力部１０からの操作信号がＬレベルでない、即ちＨレベルである場合（ステップＳ１：ＮＯ）、ステップＳ２に進む。
【００２６】
ステップＳ２では、１回目の操作信号の判定が行われる。ステップＳ３では、Ｎ回目の操作信号の判定が行われる。尚、これらの判定は２回以上のＮ回行うことが望ましい。ステップＳ２，Ｓ３では、所定タイミング（所定周期）で信号判定が行われる。本実施形態では放電周期（高電圧の生成周期）と異なる周期に設定されている。そして、ステップＳ２，Ｓ３での信号判定後、ステップＳ４に進む。
【００２７】
また、前記ステップＳ２からステップＳ１１に進んで一定期間後に、前記ステップＳ２，Ｓ３とは別系統で信号判定が行われ、ステップＳ１２においては１回目の操作信号の判定が行われる。ステップＳ１３では、Ｎ回目の操作信号の判定が行われる。尚、前記と同様に、これらの判定は２回以上のＮ回行うことが望ましい。ステップＳ１２，Ｓ１３においても、信号判定周期が放電周期（高電圧の生成周期）と異なる周期に設定されている。また、ステップＳ２から一定時間待機することで、前記ステップＳ２，Ｓ３とステップＳ１２，Ｓ１３との判定タイミングが異なるように設定されている。因みに、ステップＳ２よりも前に分岐させてもよい。そして、ステップＳ１２，Ｓ１３での信号判定後、ステップＳ４に進む。
【００２８】
ステップＳ４では、ステップＳ２，Ｓ３及びステップＳ１２，Ｓ１３にてそれぞれ判定された操作信号が全てＨレベルか否かが判定される。操作信号の各判定が全てＨレベルでない場合（ステップＳ４：ＮＯ）、操作信号の各判定に１つでもＬレベルの判定がなされると、放電部８の放電に基づく電源ノイズ等が含まれている可能性があるとしてその信号の確定が行われず、前記ステップＳ１に戻る。一方、操作信号の各判定が全てＨレベルである場合（ステップＳ４：ＹＥＳ）、操作信号に放電部８の放電に基づく電源ノイズ等が含まれていないとしてステップＳ５に進み、その信号の確定が行われる。
【００２９】
前記ステップＳ１において、操作入力部１０からの操作信号がＬレベルである場合（ステップＳ１：ＹＥＳ）、ステップＳ６に進む。
ステップＳ６では、１回目の操作信号の判定が行われる。ステップＳ７では、Ｎ回目の操作信号の判定が行われる。尚、前記と同様に、これらの判定は２回以上のＮ回行うことが望ましい。ステップＳ６，Ｓ７においても、信号判定周期が放電周期（高電圧の生成周期）と異なる周期に設定されている。そして、ステップＳ６，Ｓ７での信号判定後、ステップＳ８に進む。
【００３０】
また、前記ステップＳ６からステップＳ１４に進んで一定期間後に、前記ステップＳ６，Ｓ７とは別系統で信号判定が行われ、ステップＳ１５においては１回目の操作信号の判定が行われる。ステップＳ１６では、Ｎ回目の操作信号の判定が行われる。尚、前記と同様に、これらの判定は２回以上のＮ回行うことが望ましい。ステップＳ１５，Ｓ１６においても、信号判定周期が放電周期（高電圧の生成周期）と異なる周期に設定されている。また、ステップＳ６から一定時間待機することで、前記ステップＳ６，Ｓ７とステップＳ１５，Ｓ１６との判定タイミングが異なるように設定されている。因みに、上記と同様に、ステップＳ６よりも前に分岐させてもよい。そして、ステップＳ１５，Ｓ１６での信号判定後、ステップＳ８に進む。
【００３１】
ステップＳ８では、ステップＳ６，Ｓ７にてそれぞれ判定された操作信号が全てＬレベルか否かが判定される。操作信号の各判定が全てＬレベルでない場合（ステップＳ８：ＮＯ）、操作信号の各判定に１つでもＨレベルの判定がなされると、放電部８の放電に基づく電源ノイズ等が含まれている可能性があるとしてその信号の確定が行われず、前記ステップＳ１に戻る。一方、操作信号が全てＬレベルである場合（ステップＳ８：ＹＥＳ）、操作信号に放電部８の放電に基づく電源ノイズ等が含まれていないとしてステップＳ５に進み、その信号の確定が行われる。このように信号判定が互いに判定タイミングの異なる２系統で行われる態様となっている。
【００３２】
次に、本実施形態の特徴的な作用効果を記載する。
（１）本実施形態では、操作入力部１０からの操作信号が正規の信号か否かが判定部１１にて判定され、制御部９はその判定部１１を経た正規の操作信号にて放電部８の制御を行うため、放電部８の放電に基づく電源ノイズ等が判定部１１にて排除され、装置の誤作動を防ぐことができる。
【００３３】
（２）本実施形態では、操作入力部１０からの操作信号が正規の信号か否かが判定部１１にて判定される際に、信号の判定が複数回実施され、全判定が一致しなければ正規の信号と判定しない。これにより、放電部８の放電に基づく電源ノイズ等がより確実に排除され、装置の誤作動をより確実に防ぐことができる。
【００３４】
（３）本実施形態では、操作入力部１０からの操作信号が正規の信号か否かが判定部１１にて判定される際に、信号の判定周期が放電部８の放電周期と異なるように設定される。これにより、放電部８の放電に基づく電源ノイズがより確実に排除され、装置の誤作動をより確実に防ぐことができる。
【００３５】
（４）本実施形態では、信号判定が複数回でかつ複数系統で行われるとともに、各系統での信号の判定タイミングが互いに異なるように設定され、これら全判定が一致しなければ正規の信号と判定しない。これにより、信号の判定機会が増えるため、制御部に入力される操作信号の信頼性が増し、操作の誤作動がより確実に防ぐことができる。
【００３６】
（第２実施形態）
以下、本発明を具体化した第２実施形態を図面に従って説明する。
図４に示すように、放電装置を備えた美容装置としての足浴器２０は、本体ケース２１内の所定位置にボイラー２２が備えられている。ボイラー２２は、ボイラー室２３とそのボイラー室２３に接触して取り付けられるヒータ２４とを備えている。ボイラー室２３には、本体ケース２１に着脱可能に取り付けられるタンク２５から水等の液体が供給され、ヒータ２４の加熱によりボイラー室２３内にスチーム（温ミスト）が生成される。ヒータ２４の加熱制御は、後述の制御部３０にて行われる。そして、生成された蒸気は、ボイラー室２３に取り付けられたファン２６によって、ボイラー室２３に隣接する施術部２７にスチーム放出部２８を介して放出される。施術部２７には使用者の足を収容可能な収容空間を有し、生成されたスチームが施術部２７に収容された足に供給され、足先から全身を温めることが可能であり、美容作用や健康作用が得られるようになっている。
【００３７】
ボイラー室２３と施術部２７とを繋ぐスチーム放出部２８内には、放電部２９が設けられている。放電部２９は、制御部３０の制御に基づいて放電制御がなされ、その放電に基づいてスチーム放出部２８内を通過するスチームが静電霧化にてより微細化され、イオン化される。このようなスチームは、スチーム放出部２８から使用者に供給される。
【００３８】
前記ヒータ２４、ファン２６及び放電部２９は、制御部３０にて制御されている。制御部３０には、操作入力部３１からの操作信号が判定部３２を介して入力され、使用者の操作に応じてヒータ２４及び放電部２９の制御が行われる。操作入力部３１は、作動のオンオフが操作可能となっており、そのオンオフ操作に対応する操作信号が判定部３２に出力される。判定部３２は、その操作信号が正規のものかノイズ等によるものかを判定し、正規のものである場合にその操作信号を確定して制御部３０に出力する。本実施形態の判定部３２においても第１実施形態と同様に、図２又は図３に示す信号判定フローに従って信号判定を行っている。そして、制御部３０は、判定部３２を経た正規の操作信号に基づいて、足浴器２０（ヒータ２４、ファン２６及び放電部２９）がオフの時にはオンさせるべく、ヒータ２４に所定電圧を、放電部２９に一定周期の高電圧を生成して印加し、足浴器２０（ヒータ２４、ファン２６及び放電部２９）がオン時にはオフされるべく、これらの電圧生成（印加）を停止する。
【００３９】
次に、本実施形態の特徴的な作用効果を記載する。
（１）本実施形態の判定部３２でも、前記第１実施形態の判定部１１と同様の信号判定を行うことから、前記第１実施形態の（１）〜（４）と同様の作用効果を得ることができる。
【００４０】
（第３実施形態）
以下、本発明を具体化した第３実施形態を図面に従って説明する。
図５に示すように、放電装置を備えたヘアードライヤー４０は、本体ケース４１内の所定位置にヒータ４２が備えられ、その後段にファン４３が備えられている。また、本体ケース４１の上部には放電部４４が備えられている。
【００４１】
放電部４４は、制御部４５の制御に基づいて放電制御がなされ、コロナ放電により、イオンを発生させる。本体ケース４１の前方開口部に形成された吹出部４８からファン４３により吹き出される送風を髪に吹き付ける際に、放出されたイオンに結合した空気中の微粒子水分が髪に付着する。そして、微粒子水分が髪に付着することにより、髪に潤いを与え、より高い美容作用が得られるようになっている。
【００４２】
制御部４５では、操作入力部４６からの操作信号が判定部４７を介して入力され、使用者の操作に応じてヒータ４２、ファン４３及び放電部４４の制御が行われる。操作入力部４６は、作動のオンオフが操作可能となっており、そのオンオフ操作に対応する操作信号が判定部４７に出力される。判定部４７は、その操作信号が正規のものかノイズ等によるものかを判定し、正規のものである場合にその操作信号を確定して制御部４５に出力する。本実施形態の判定部４７においても第１実施形態と同様に、図２又は図３に示す信号判定フローに従って信号判定を行っている。そして、制御部４５は、判定部４７を経た正規の操作信号に基づいて、ヘアードライヤー４０（ヒータ４２、ファン４３及び放電部４４）がオフの時にはオンさせるべく、ヒータ４２に所定電圧を、放電部４４に一定周期の高電圧を生成して印加し、ヘアードライヤー４０（ヒータ４２、ファン４３及び放電部４４）がオン時にはオフされるべく、これらの電圧生成（印加）を停止する。
【００４３】
次に、本実施形態の特徴的な作用効果を記載する。
（１）本実施形態の判定部４７でも、前記第１実施形態の判定部１１と同様の信号判定を行うことから、前記第１実施形態の（１）〜（４）と同様の作用効果を得ることができる。
【００４４】
尚、本発明の実施形態は、以下のように変更してもよい。
・上記実施形態では、信号判定を２回行うようにしているが、１回又は３回以上としてもよい。
【００４５】
・上記実施形態では、信号の判定周期を放電部の放電周期（高電圧の生成周期）と異なる周期に設定されているが、判定周期の設定はこれには限らない。
・上記実施形態では、信号判定を２系統で実施したが、３系統以上で実施してもよい。
【００４６】
・上記実施形態では、オンオフ操作の操作信号の判定について記載したが、オンオフ操作以外の操作に基づく操作信号の判定を行ってもよい。また、信号の論理は逆であってもよい。
【００４７】
・上記実施形態では、放電装置を備えた美顔器１、足浴器２０又はヘアードライヤー４０に適用したが、これ以外の美容装置や美容装置以外の装置に適用してもよい。尚、上記実施形態の美顔器１はスチーム（温ミスト）を放出するものであったが、冷ミストを放出する美顔器に適用してもよい。
【符号の説明】
【００４８】
８，２９，４４…放電部、９，３０，４５…制御部、１０，３１，４６…操作入力部、１１，３２，４７…判定部。
【図１】
2010272306.tif 000003
【図２】
2010272306.tif 000004
【図３】
2010272306.tif 000005
【図４】
2010272306.tif 000006
【図５】
2010272306.tif 000007